(57)【特許請求の範囲】
【請求項１】
買上げた商品を封緘後、容易には再開封できないように収納することができる商品収納袋であって、
一端に商品出し入れ口を有する袋体と、該商品出し入れ口に取り付けられたファスナーと、該ファスナーを開閉するためのスライダと、該スライダに取り付けられた引手と、前記ファスナーの一端に固定された前記引手の孔に挿通し得る留め枠を上面に備える留め具と、前記商品収納袋を封緘するための封緘部材とを備え、
前記封緘部材は、
前記引手に前記封緘部材を重なってスライド係着するための係着部と、
前記引手の前記孔に対応する位置に設けられた前記留め具の留め枠で挿通し得る開口部と、
前記開口部に突出して延設された係止片であって、
前記留め具の前記留め枠を前記引手の前記孔及びこれに位置合せされた前記封緘部材の前記開口部に挿通したとき該係止片が前記留め枠に当接係止されて、前記商品収納袋を封緘し得る係止片とを有してなることを特徴とする商品収納袋。
【請求項２】
前記留め枠の前記係止片との当接面は前記引手の回動とともに該留め枠と該係止片が線接触し続けるように傾斜していることを特徴とする請求項１記載の商品収納袋。
【請求項３】
前記引手は前記孔と前記封緘部材の開口部が位置合せされて保持されるように、前記封緘部材の両方向のスライドを制限する第一及び第二係止部を設けていることを特徴とする請求項１記載の商品収納袋。
【請求項４】
前記封緘部材に破断を容易にするための切り込み若しくは凹条が少なくとも一カ所に設けられていることを特徴とする請求項１記載の商品収納袋。
【発明の詳細な説明】
【０００１】
【発明の属する技術分野】
本発明は商品収納袋、更に詳しくは、買物客が購入した商品（例えば、バーゲンセールなどにおける特売品）の会計の際に、会計口にて前記商品を収納する商品収納袋であって、商品出し入れ口を一旦封緘すると該商品出し入れ口を再び開けることが非常に困難であり、それ故、一旦会計を済ませた商品収納袋をバーゲンセール会場などに再び持ち込み、商品出し入れ口を開けて前記商品収納袋内に商品を詰め込むことによる商品の盗難を未然に防止することができる商品収納袋に関するものである。
【０００２】
【従来の技術】
デパート、スーパーマーケット等では会計後の商品は包装袋などの商品収納袋に入れて買物客に手渡しているが、その商品収納袋は商品出し入れ口が開いているか又はファスナーなどが取り付けられている場合でも開閉自在である。このため、会計後に更に買物を続ける客が会計前の別の商品を同一の包装袋に入れてしまった場合（未会計商品の混入）、包装袋には会計後の商品のみが収納されているのか、それとも会計後の商品の他にも収納されているのかを見分けることは困難である。特に、バーゲンセール、販売促進会等が催されて大勢の買物客で混雑している売場では、一旦会計口を通過した商品収納袋に未会計商品が混入されるのを発見することも極めて難しい。
また、数量が限定されている商品、希少価値のある商品又は高額な商品を販売するために催される販売セールや販売促進会の会場においては、会計口での会計後の商品（販売後の商品）と未だ会計口を通過していない会計前の商品（販売前の商品）とを厳密に区別して管理することが要求されるが、会計後の商品を商品出し入れ口が開閉自在な収納袋に入れて買物客に手渡した場合には、前述の問題（商品の盗難）と同様の問題が起こり得る。
【０００３】
商品の盗難を避けるため、バーゲンセール、販売セール、販売促進会等の会場に多数の監視員を配置したり、多数の監視器具（例えば監視カメラ）を配置するなどの手段を取ることが考えられる。
しかしながら、前記手段を取ることは、買物客が商品を自由に買い回ることを妨げ、買物客の購買意欲を削ぎ、更に買物客に「監視されている感じがする」などの悪い印象を与える恐れがあり好ましくない。
【０００４】
これらのことから、デパートやスーパーマーケット等における会計済みの商品の収納を、手軽で（販売側にも負担をかけることなく）、確実に、しかも低コストで、且つ商品の盗難を有効に防止し得るように行うことができる商品収納袋に対する強い要望がある。
【０００５】
このような要望を満たす手段として、特殊な封緘具や封緘方法が提案されている。例えば、特開平１１−２５４２８７号公報には、少なくとも１つの孔を有する引手がスライダに取り付けられたファスナーと、少なくとも一部が線状であり、一端と他端との楔着により閉じた環状とすることができる挿通具と、該挿通具の線状部を通すことができる孔を有する上記ファスナーの上止め近傍に取り付けられた留め具とからなり、閉じた後のファスナーの引手の孔に留め具を通した状態で挿通具の線状部を留め具の孔に通した後、挿通具の一端と他端とを楔着により環状に閉じることにより封緘することができる封緘具、及び該封緘具を使用する商品収納袋の封緘方法が開示されている。
【０００６】
図８に、特開平１１−２５４２８７号公報に開示された封緘具及び封緘方法の一例を示す。この封緘具は商品収納袋に取り付けられて使用される。前記商品収納袋に商品を入れた後、封緘する手順を次に説明する。まず、図８（ａ）に示すように、スライダ１を図中左上側に引き上げることによりファスナーを閉じる（図中、２ａは閉じた務歯を、そして２ｂは開いた務歯をそれぞれ示す）。スライダ１を充分に引き上げたら、図８（ｂ）に示すように、引手３を留め具４側に回し、引手３の孔５に留め具４を通す。その後、図８（ｃ）に示すように、挿通具６の凸部７側を留め具４の孔８に通した後、該凸部７を凹部９に嵌めることにより挿通具６を環状に閉じる。
【０００７】
凸部７と凹部９とは楔着され、切断することなしに、容易に外れることはない。また、ファスナーのスライダ１は留め具４、挿通具６及び引手３により動きが封じられており、ファスナーも開くことはない。これらのことから、封緘が十分に行われている。
この封緘を解くには、挿通具６を切断する必要があり、該挿通具６が未切断のままであることにより、商品収納袋が未開封であると認めることができる。
【０００８】
【発明が解決しようとする課題】
特開平１１−２５４２８７号公報の封緘具を使用して商品収納袋を封緘するには、以下の三操作が必要である。
▲１▼引手３の孔５に留め具４を通す操作。
▲２▼挿通具６の凸部７側を留め具４の孔８に通す操作。
▲３▼凸部７を凹部９に嵌めることにより挿通具６を環状に閉じる操作。
例えば、バーゲンセールでの会計においては、多数の買物客が会計口に殺到するため、商品収納袋に商品を入れた後、封緘する手順を極めて短時間で手際よく行わなければならず、このためには封緘具を使用して商品収納袋を封緘する手順を可能な限り少なくする必要があり、理想的には前記手順は一操作であるのがよい。
【０００９】
しかしながら、特開平１１−２５４２８７号公報に記載された封緘具を含む従来の封緘具を使用する場合、商品収納袋を封緘する手順は三操作又はそれ以上必要とする場合が多い。また、封緘具の取り扱いが面倒な場合もあり、商品収納袋の封緘に手間及び時間を要するため、商品収納袋に商品を入れた後の封緘を短時間で手際よく行うことは困難であった。
【００１０】
【課題を解決するための手段】
本発明は前記従来技術の問題点を解決するためのものであり、その目的とするところは、商品収納袋に商品を入れた後の封緘を一操作にて短時間で手際よく行い得ると共に、商品出し入れ口を一旦封緘した後に該商品出し入れ口を開封することを困難にせしめ、それ故、会計後に前記商品収納袋内に再度未会計の商品を詰め込むことによる商品の盗難を未然に防止することができる商品収納袋、特に特売品収納袋を提供することにある。
【００１１】
本発明者らは従来技術の前記問題点を解決すべく鋭意検討を重ね、ファスナーで商品出し入れ口を開閉する形式の商品収納袋において、留め具及び封緘部材の構造を改良することにより、商品出し入れ口を一端封緘すると該商品出し入れ口を再び開封することを困難にせしめ且つその封緘を一つの操作で簡便になし得るところのものを完成した。
【００１２】
すなわち本発明の商品収納袋は、買上げた商品を封緘後、容易には再開封できないように収納することができる商品収納袋であって、
一端に商品出し入れ口を有する袋体と、該商品出し入れ口に取り付けられたファスナーと、該ファスナーを開閉するためのスライダと、該スライダに取り付けられた引手と、前記ファスナーの一端に固定された前記引手の孔に挿通し得る留め枠を上面に備える留め具と、前記商品収納袋を封緘するための封緘部材とを備え、
前記封緘部材は、
前記引手に前記封緘部材を重なってスライド係着するための係着部と、
前記引手の前記孔に対応する位置に設けられた前記留め具の留め枠で挿通し得る開口部と、
前記開口部に突出して延設された係止片であって、
前記留め具の前記留め枠を前記引手の前記孔及びこれに位置合せされた前記封緘部材の前記開口部に挿通したとき該係止片が前記留め枠に当接係止されて、前記商品収納袋を封緘し得る突起片とを有してなることを特徴とする（以下、ｉと称する）。
本発明の商品収納袋は以下の態様が好ましい。
ii) 前記留め枠の前記係止片との当接面は前記引手の回動とともに該留め枠と該係止片が線接触し続けるように傾斜しているｉの商品収納袋。
iii)前記引手は前記孔と前記封緘部材の開口部が位置合せされて保持されるように、前記封緘部材の両方向のスライドを制限する第一及び第二係止部を設けているｉの商品収納袋。
iv）前記封緘部材に破断を容易にするための切り込み若しくは凹条が少なくとも一カ所に設けられているｉの商品収納袋。
【００１３】
【発明の実施の形態】
本発明において使用されるファスナーは一般的なもの、例えば、務歯（ティース）、スライダ（すべり金具）、ジッパーテープから構成され、務歯の一端（下端）にある下止め（ボトムストップ，ボトムエンドピース）と、他端（上端）にある上止め（トップストップ，トップエンドピース）との間をスライダが上下することにより開閉するものであってよい。
【００１４】
前記スライダには引手（プルタブ）が取り付けられ、該引手には留め具の留め枠で挿通するための孔が少なくとも一つ設けられている。孔の大きさや形状は適宜選択する。引手には、前記孔と前記封緘部材の開口部が位置合せされて保持されるように、前記封緘部材の両方向のスライドを制限する第一及び第二係止部を設けるとよい。
係止部の形状は、封緘部材の係着部を係止し得る形状であればよく、例えば、引手の幅を広げることにより形成された凸所であってもよく、又は、所定形状の突起により形成された凸部であってもよい。
【００１５】
留め具は、前記引手の前記孔を挿通し得る留め枠（具体的には、例えば矩形枠、例えば長方形枠又は台形枠）を上面に備える形状とする。留め具はファスナーの上止めとは別部材として形成してもよいし、又は、前記上止めを兼ねて留め具を形成してもよい。留め枠の係止片との当接面はスライダの回動とともに留め枠と係止片が線接触し続けるように傾斜していることが好ましい。
【００１６】
商品収納袋を封緘するための封緘部材は、引手にスライド係着して使用される。封緘部材は、後に封緘を解除する際、少なくとも部分的に破断することが必要となるので、適度な強さと破壊し易さとを併有することが重要である。それ故、封緘部材は、弾性と強度とを兼ね備え且つ破断させることが可能な材料、例えばポリカーボネート樹脂、ＡＢＳ樹脂、ポリアセタール樹脂等のプラスチックを用いて製造することが好ましい。
【００１７】
封緘部材は、引手に該封緘部材を重なってスライド係着するための係着部を有する。封緘部材の係着部の構造は引手の形状などにより適宜変化し得る。係着部は封緘部材と別体であってもよいが、封緘部材と一体に成形されていることが好ましい。例えば、筒状の係着部を封緘部材と一体に成形すれば、該係着部を封緘部材に嵌着することにより、封緘部材を引手に容易且つ強固にスライド係着することができる。
【００１８】
封緘部材には、スライダの孔に対応する位置に留め具の留め枠で挿通し得る開口部を設ける。この開口部の大きさや形状は適宜選択する。引手に封緘部材をスライド係着したとき、引手の孔及び封緘部材の開口部は互いに位置合せされて設けられているので（少なくとも一部重複している）、留め具の留め枠により引手の孔及び封緘部材の開口部を共に挿通し得る。
【００１９】
開口部には、その中に突出して少なくとも一つの係止片を延設する。係止片は、封緘部材と一体に成形することにより設けると形成し易い。係止片は、留め具の留め枠、引手及び封緘部材と共に商品収納袋を封緘するためのものであり、封緘を解除しようとして引手を回動させる場合、大きな力が加わる。それ故、その力に抗して封緘を保持する必要がある。
すなわち係止片は、引手を回動させるとき、留め具の留め枠に線接触（可能であれば面接触）にて当接係止し得る構造とすることが好ましい。係止片の数は奇数でも偶数でもよい。
具体的には、例えば、留め具の留め枠を台形枠となし、且つ封緘部材に偶数の係止片、例えば二つの係止片を互いに対向する方向に開口部に突出して延設すると、封緘を解除しようとして引手を回動させる場合に、留め具の留め枠と二つの係止片とが線接触し、力が一つの係止片の一点に集中することなく（一つの係止片と留め具の留め枠とが点接触することなく）力を二つの係止片に分散させることができるので好ましい。
係止片の大きさ、形状、厚さ等の性状は、該係止片を開口部に好適に設けることができ、且つ前述の留め具の留め枠との接触を線接触にて好適に行うことができる性状とすることが好ましい。
【００２０】
封緘部材の少なくとも一カ所に、封緘を解除する際に封緘部材の少なくとも一部を破断し易くするための切り込み若しくは凹条を設けることが好ましい。切り込み若しくは凹条を設けることにより、封緘部材のこの部分の肉厚が薄くなるので、封緘部材が破断され易くなる。切り込み若しくは凹条の数、大きさ、形状及び設ける箇所は封緘部材の強度と破断し易さとを考慮して適宜選択する。例えば切り込み若しくは凹条は、封緘部材の所定箇所を所定の厚さで切り込むか又は、封緘部材の所定箇所にＶ字溝、Ｕ字溝等の溝を形成することにより設けることができる。
【００２１】
本発明の商品収納袋は、種々の商品、例えば特売品、数量が限定されている商品、希少価値のある商品又は高額な商品を収納するために使用することができる。本発明の商品収納袋は、特売品収納袋として使用するために特に適している。
【００２２】
【実施例】
以下の実施例により、本発明を更に詳しく説明する。
図１に、本発明の商品収納袋の一例を示す。商品収納袋１０は、袋体１１の商品出し入れ口にファスナー１２及び取手１３が取り付けられている。
＜本発明の商品収納袋の封緘機構の説明＞
図２に、図１の商品収納袋のＩ部分の拡大図を示す。以下、図２及び図３に基づいて、本発明の商品収納袋の封緘機構を説明する。
図２に示すように、引手１４に封緘部材１５を固定する。この際、引手１４の孔１６と封緘部材１５の開口部１７とが位置合せされる（共通の貫通孔部分を有する位置）ようにする。封緘部材１５の一面側（係着部１８の反対側）には、開口部１７に突出して二つの係止片１９が延設されている。引手１４を指で摘まみ、スライダ２０によりファスナー２１を閉じながら封緘部材１５をスライド係着した引手１４を矢印の如く図中右端の留め具２２（上部は、貫通孔２３を有する枠形状をしている）の留め枠２２’のところまで引き封緘部材１５及び引手１４を時計方向に回転させて、図３のように、孔１６と開口部１７を留め枠２２’で挿通する。
この時、二つの係止片１９は、留め枠２２’により下方から押圧されて上方に曲がるように変形し、留め枠２２’が通過した後下方向に曲がるように変形して、図３のように、留め具２２の貫通孔２３内に先端部及びその近傍が入り込み、封緘が一操作にて完了する。
【００２３】
＜本発明の商品収納袋を構成する主な部材の説明＞
Ｉ．引手
図４に、図２及び図３の引手１４を示す。図４（ａ）は引手１４の平面図、図４（ｂ）は引手１４を図中矢印方向から見た側面図である。引手１４には、孔１６以外に、引手１４をスライダ２０に取り付けるための貫通孔２４が設けられている。また引手１４には、孔１６と開口部１７が位置合せされて保持されるように封緘部材の両方向のスライドを制限するため、封緘部材１５の係着部１８の一端（留め具２２側）に凸所２５（幅が拡張された部分；第一係止部）が、封緘部材１５の係着部１８の他端（スライダ２０側）に凸部２６（突き出た部分；第二係止部）が各々設けられている。なお、係着部１８の他端（スライダ２０側）はスライダ２０により係止されるので、凸部２６はなくてもよいが、凸所２５及び凸部２６を共に設ける方が、係着部１８の両端が保持されるのでより好ましい。
【００２４】
II．封緘部材
図５に、図２及び図３の封緘部材１５を示す。図５（ａ）は封緘部材１５の裏面図、図５（ｂ）は図５（ａ）を矢印II方向から見た側面図、図５（ｃ）は封緘部材１５の正面図である。本例では封緘部材１５はプラスチック製（ポリカーボネート製）であり、二つの係止片１９が互いに対向する方向に開口部１７に突出して延設されている。また本例では封緘部材１５の正面側に凹条２７，２８が設けられ、封緘部材１５の係着部１８に凹条２９が設けられている。凹条２７，２８、２９の代わりに切り込みを設けてもよい。
図６に、図５の封緘部材１５の端面図及び凹条の説明図を示す。図６（ａ）は図５（ｃ）を矢印III 方向から見た端面図、図６（ｂ）は図５（ｃ）を矢印IV方向から見た端面図、図６（ｃ）は凹条２７，２８及び２９の説明図である。本例では、図６（ｃ）のように、所定深さのＶ字形状の溝を形成することにより凹条２７，２８及び２９を設けた。図６（ｃ）の角度θは適宜選択してよい（本例ではθ＝４５度）。
【００２５】
III ．留め具
図７に留め具の機能の説明図を示す。留め具の形状は封緘部材の封緘力に大きく影響するので、留め具の形状を最適形状とすることは重要である。
以下、留め具の形状の相違による封緘部材の封緘力の相違について説明する。
図７（ａ）のように、ファスナーの長手方向に沿って形成された長方形の留め枠３０’を有する留め具３０を使用した場合、引手１４を回動させることにより封緘部材１５が回動されるとき、図中右側の係止片１９の右上端部のみが留め枠３０’と接触する（点接触）ので、応力がこの一点に集中し、図中右側の係止片１９は破壊され易くなる。図中右側の係止片１９が破壊されると、次いで、図中左側の係止片１９でも同様のことが起こり、図中左側の係止片１９も破壊され易くなる。
ところが、図７（ｂ）のように、ファスナーの長手方向に沿って形成された台形（スライダに近い方の矩形の一辺の高さがスライダに遠い方の矩形の一辺の高さよりも低くなるように傾斜している形）の留め枠３１’を有する留め具３１を使用した場合、引手１４を回動させることにより封緘部材１５が回動されるとき、図中右側の係止片１９の表面の引手１４の長さ方向に沿った線状部分及び図中左側の係止片１９の引手１４の長さ方向に沿った線状部分が留め枠３１’と接触するので（線接触）、応力が二つの係止片１９に作用し、それ故、二つの係止片１９は容易には破壊されない。
【００２６】
【発明の効果】
本発明の商品収納袋は、ファスナーで商品出し入れ口を開閉し、且つ商品出し入れ口を一旦封緘すると、中に収納した商品を容易に出し入れすることができないようにせしめることが必要なあらゆる用途に使用することができ、特に、バーゲンセールで用いる特売品収納袋として有用である。
また、本発明の商品収納袋は、封緘を僅か一操作にて行うことができるため、封緘時の販売者側の負担を軽減し、作業効率を高め、また、購買者側の待ち時間を短縮することができる。
【図面の簡単な説明】
【図１】本発明の商品収納袋の一例を示す斜視図である。
【図２】図１の商品収納袋のＩ部分の拡大図である。
【図３】図１の商品収納袋のの封緘機構を説明するための図である。
【図４】本発明の商品収納袋の引手の一例を示す図である。
【図５】本発明の商品収納袋の封緘部材の一例を示す図である。
【図６】図５の封緘部材の端面図及び凹条の説明図である。
【図７】本発明の商品収納袋の留め具の機能を説明するための図である。
【図８】従来の封緘具及び封緘方法の一例を説明するための図である。
【符号の説明】
１：スライダ                          ２ａ：閉じた務歯
２ｂ：開いた務歯                      ３：引手
４：留め具                            ５，８，１６：孔
６：挿通具                            ７：凸部
９：凹部                              １０：商品収納袋
１１：袋体                            １２，２１：ファスナー
１３：取手                            １４：引手
１５：封緘部材                        １７：開口部
１８：係着部                          １９：係止片
２０：スライダ                        ２２，３０，３１：留め具
２２’，３０’，３１’：留め枠        ２３，２４：貫通孔
２５：凸所                            ２６：凸部
２７，２８，２９：凹条
【図１】
0003707014.tif 000002
【図２】
0003707014.tif 000003
【図３】
0003707014.tif 000004
【図４】
0003707014.tif 000005
【図５】
0003707014.tif 000006
【図６】
0003707014.tif 000007
【図７】
0003707014.tif 000008
【図８】
0003707014.tif 000009